(57)【要約】【課題】使用者の足裏に対して滑り抵抗を発揮して滑り難さを向上できる浴室用フロアを提供する。【解決手段】凸部２１を間隔をあけて複数配置し、隣り合う凸部２１により溝部４０を形成し、溝部４０内に少なくとも一つの突条部３１を配置し、凸部２１を周縁部側へ下り勾配の傾斜面を有するように形成し、突条部３１の端部を凸部２１の周縁より高く形成する。【選択図】図７
2017071984.tif 000002
【特許請求の範囲】
【請求項１】
凸部が間隔をあけて複数配置され、
隣り合う前記凸部により溝部が形成され、
前記溝部内に少なくとも一つの突条部が配置されてなり、
前記突条部は、前記凸部よりも低く形成され、
前記凸部は、周縁部が下り勾配に形成された傾斜面を有し、
前記突条部の端部は、前記傾斜面よりも上方に突出している、浴室用フロア。
【請求項２】
前記溝部が交差部を有し、前記突条部の端部が前記交差部内まで延出している、請求項１に記載の浴室用フロア。
【発明の詳細な説明】
【技術分野】
【０００１】
本発明は、多数の凸部が表面に配設された樹脂製の浴室用フロアに関する。
【背景技術】
【０００２】
従来、多数の凸部が表面に配設された樹脂製の浴室用フロアとして、例えば下記特許文献１の浴室用洗場床パンなどが知られている。
特許文献１の浴室用洗場床パンでは、流れ勾配を有する床面に多数のパターン凸部及び目地が形成されており、各パターン凸部が山形に形成され、目地が排水方向に直線的に傾斜している。さらに縦目地内や横目地内に、水滴を薄膜化するための微小凸部を多数設けることで、水滴が留まりにくくしてパターン凸部や目地を乾き易くしようとしている。
【先行技術文献】
【特許文献】
【０００３】
【特許文献１】特開２００２−８８８４５号公報
【発明の概要】
【発明が解決しようとする課題】
【０００４】
しかしながら、従来の浴室用フロアでは、凸部が山形に形成されて上面が周縁側へ下り勾配に形成されると、各凸部上の水は流下し易いものの、凸部の周縁の引掛りが少なくなるため足裏が滑り易くなっていた。
【０００５】
そこで、本発明は滑り難さを向上できる浴室用フロアを提供することを目的とする。
【課題を解決するための手段】
【０００６】
上記目的を達成する本発明の浴室用フロアは、凸部が間隔をあけて複数配置され、隣り合う凸部により溝部が形成され、溝部内に少なくとも一つの突条部が配置されてなり、凸部は、周縁部が下り勾配に形成された傾斜面を有し、突条部の端部は、傾斜面よりも上方に突出している。これにより摩擦部を構成している。
【０００７】
またこの浴室用フロアでは、溝部が交差部を有し、突条部の端部が、交差部内まで延出していてもよい。
【発明の効果】
【０００８】
本発明によれば、溝部に配置された突条部の端部が両側の凸部の周縁部より高く形成されているので、突条部の端部が凸部の周縁部よりも足裏に対して引掛かり易くなる。そのため、周縁部側へ下り勾配に形成された傾斜面を有する凸部が並べられていても、突条部が足裏に対して滑り抵抗部として作用し、浴室用フロアの滑り難さを向上することが可能である。さらに、突条部の端部が溝部内まで延出していれば、凸部の高さが低い交差部周辺に滑り抵抗部を設けることができるので、より効果的に滑りにくさを向上することができる。
【図面の簡単な説明】
【０００９】
【図１】本発明の実施形態に係る浴室用フロアの部分平面図である。
【図２】本発明の実施形態に係る浴室用フロアを構成するパネルの部分斜視図である。
【図３】本発明の実施形態に係る浴室用フロアの凸部及び突条部を示す拡大平面図である。
【図４】図３のＡ−Ａ断面図である。
【図５】図３のＢ−Ｂ断面図である。
【図６】本発明の実施形態に係る浴室用フロアの表面に水を流した状態を示す部分拡大断面図であり、（ａ）は水が広幅溝を流れる状態、（ｂ）は水が狭幅溝を流れる状態を示している。
【図７】（ａ）は図３のＣ方向概略矢視図、（ｂ）は図３のＤ方向概略矢視図である。
【図８】本発明の第２実施形態に係る浴室用フロアの部分平面図である。
【図９】図８のＤ−Ｄ断面図である。
【図１０】本発明の第３実施形態に係る浴室用フロアの部分平面図である。
【図１１】本発明の第４実施形態に係る浴室用フロアの部分平面図である。
【発明を実施するための形態】
【００１０】
以下、本発明の実施形態について説明する。
［第１実施形態］
図１及び図２に示す本実施形態の浴室用フロア１０は、浴槽１２に隣接した洗い場床を構成しており、排水口が設けられた排水部１１に向けて水勾配が設けられている。
浴室用フロア１０は、縦横に交差する溝部４０を介して配置された平面視多角形の複数の凸部２１と、各溝部４０内に配置されて凸部２１とは異なる形状の突条部３１と、を上面に備えている。
この浴室用フロア１０はシートモールディングコンパウンド法、バルクモールディングコンパウンド法等を利用した樹脂製の成形体からなる。
【００１１】
各凸部の形状は異なっていてもよいが、本実施形態では、図２及び図３に示すように、複数の凸部２１は同一形状であり、平面視矩形を有している。
各凸部２１の長辺２２ａは、隣り合う凸部２１の長辺２２ａと一定間隔をあけて互いに平行に配置され、各凸部２１の短辺２２ｂも、隣り合う凸部２１の短辺２２ｂと一定間隔をあけて互いに平行に配置されている。すなわち、凸部２１の一辺と、この凸部２１の隣りの凸部２１の辺のうち当該凸部の一辺と対向する辺と、が平行に向い合っている。凸部２１の長辺２２ａ及びこれと隣り合う凸部２１の長辺２２ａの間隔と、凸部２１の短辺２２ｂ及びこれと隣り合う凸部２１の短辺２２ｂの間隔は、異なっていてもよいが、本実施形態では同一である。また、隣り合う各凸部２１の長辺２２ａは、同一直線上に配置され、隣り合う各凸部２１の短辺２２ｂも同一直線上に配置されている。
従って、平面視矩形の凸部２１が間隔を開けて複数配置されることで形成される溝部４０は、フロア１０に交差部４３を有して格子状に形成されている。なお、凸部２１の周縁部の各角部２６は平面視でＲ面取りされている。本実施形態では、凸部２１は長辺２２ａが３５ｍｍ、短辺２２ｂが１２ｍｍの長方形に形成され、凸部２１と凸部２１の間隔は、５ｍｍに設定されている。
【００１２】
各凸部２１の上面は、周縁部が下り勾配に形成された傾斜面を有している。本実施形態では、各凸部２１の上面も周縁部に向かって下り勾配に形成されて全体が凸湾曲面形状に形成されている。図４に示すように、凸部２１の長手方向断面では、凸部２１の上面は、中央部２４に直線部分を有し、直線部分の端部から側方に向かって湾曲しながら傾斜している。また図５に示すように、凸部２１の短手方向断面では、凸部２１の上面は中央部２４から側方に向かって湾曲して傾斜している。
溝部４０は、凸部２１を間隔をあけて配置することによって構成されており、隣り合う凸部２１と凸部２１で挟まれた溝部４０の幅は一定に形成されている。これらの溝部４０は、全ての凸部２１間に各交差部４３で交わりながら排水部１１に達するよう、縦横に形成され、流れた水が溝部４０を通って排水部１１に向けて流れるようになっている。
【００１３】
隣り合う凸部２１で対向する辺２２と辺２２とで挟まれた溝部４０内にはそれぞれ、平面視で凸部２１の短辺２２ｂの長さよりも幅が細い１本の直線状の突条部３１が辺２２に沿って設けられている。突条部３１は、突条部３１に水が落ちたときに突条部３１に水が残らない幅に設定されている。このため、突条部３１に水が落ちたとしても、突条部３１に水が残らず、落ちてきた水を後述する狭幅溝４２に分配することが可能である。具体的には、本実施形態では、突条部の幅は２ｍｍに設定されている。これらの突条部３１は、各凸部２１の長辺２２ａと周囲の凸部２１の長辺２２ａとの間の溝部４０と、各凸部２１の短辺２２ｂと周囲の凸部２１の短辺２２ｂとの間の溝部４０とにそれぞれ配置されて、縦横に複数条設けられている。
突条部３１は、両側辺３２がそれぞれ対向する凸部２１の長辺２２ａ又は短辺２２ｂと略平行に形成され、溝部４０の中央に配置されている。なお、突条部３１の長手方向の両端は平面視で半円形状等の凸曲線形状に形成されている。
【００１４】
複数配置された凸部２１の長辺２２ａ間に配置された突条部３１ａ及び短辺２２ｂ間に配置された突条部３１ｂは、これら長辺２２ａ及び短辺２２ｂの長さに対応して各辺の長さとほぼ同じ又はそれ以上の長さで連続して形成されている。
本実施形態では、凸部２１の長手側、即ち長辺２２ａに隣接する突条部３１ａは、凸部２１の長辺２２ａよりも長く設定され、凸部２１の短手側、即ち短辺２２ｂに隣接する突条部３１ｂが凸部２１の短辺２２ｂと同じ長さに設定されている。
長辺２２ａ間の突条部３１ａは長辺２２ａより長く形成され、長辺２２ａの端部から交差部４３内に突出しており、互いに対向する長辺２２ａ間の突条部３１ａの端部間が、直角方向の短辺２２ｂ間の突条部３１ｂの端部間より近接した状態で対峙している。
なお、突条部３１ａの端部が交差部４３内へ突出する量は、突条部３１ａの両端で同じである。また、対峙する突条部３１ａの端部間の距離は、突条部３１ｂの幅と同じに設定されている。本実施形態では、突条部３１ａが交差部内へ延出しているが、突条部３１ｂが交差部内へ延出していてもよい。本実施形態では、突条部３１ａの端部が交差部４３内へ突出する量は、１．７５ｍｍに設定されている。
【００１５】
各突条部３１の高さは、両側の凸部２１の高さと同程度の高さ、或いは、両側の凸部２１とは異なる高さであってよいし、各突条部３１の高さがそれぞれ違っていてもよいが、本実施形態では、各突条部３１は同一高さに形成され、それぞれ両側の凸部２１，２１の高さより低い高さに形成されている。また、突条部３１の端部側では、図７に示すように、突条部３１の端部が凸部２１，２１の周縁部の傾斜面よりも上方に突出している。すなわち、突条部３１の端部が、凸部２１，２１の周縁部の角部２６より高くなっている。
突条部３１は、溝部４０を２列に分割するよう、長手方向に沿って隣り合う凸部２１間に１つ形成されている。これにより、溝部４０内に、凸部２１間の間隔に対応する広幅状の溝（以下、これを広幅溝４１と称する。）と、さらに広幅溝４１内に列状に配置された２筋の狭幅溝４２との合計３筋の溝が構成される。
なお、凸部２１間の間隔を広げることで、幅が拡大した溝部４０内に２筋以上の狭幅溝４２を並設することもできる。この場合は、一つの広幅溝４１の他に、３筋以上の狭幅溝４２が形成されることになる。狭幅溝４２は、水の表面張力により移動可能な間隔に設定されている。具体的には２．５ｍｍ以下であることが好ましい。２．５ｍｍ以下であれば、水の表面張力を利用した排水が可能である。本実施形態では、１．５ｍｍに設定されている。
【００１６】
長辺２２ａ間及び短辺２２ｂ間の各突条部３１ａ，３１ｂの断面形状は異なっていてもよいが、本実施形態では全て同じに形成されている。図４，５に示すように、突条部３１は鉛直方向断面において、底部２３から頂部３４まで急峻な山状に上方へ突出した凸曲面形状に形成されており、頂部３４は両側に配置された凸部２１の中央部２４よりも低く形成されている。本実施形態では、凸部２１の高さは０．７ｍｍに形成され、突条部３１の高さは０．３ｍｍに形成されている。
【００１７】
図７（ａ）（ｂ）に示すように、本実施形態における各突条部３１では、中間部分の頂部３４の高さが凸部２１の頂部２４の高さと同等又はそれ以下の高さに形成されており、交差部４３に臨む位置における突条部３１の端部の高さが、両側の凸部２１における周縁部の角部２６より高く形成されている。
【００１８】
互いに対向する各凸部２１の長辺２２ａ及びその間に配置された突条部３１ａは、互いに間隔を開けて配置されており、各凸部２１の短辺２２ｂ及びその間に配置された突条部３１ｂも、互いに間隔を開けて配置されている。
詳細には、凸部２１の傾斜面と突条部３１の傾斜面とが離間して形成されて、底部２３付近では凸部２１の傾斜面と突条部３１の傾斜面とが凹曲面形状に連続している。凸部２１の傾斜面と突条部３１の傾斜面との間の間隔、特に底部２３付近の間隔は、水滴が接触すると浴室用フロア１０の傾斜と水の表面張力により、排水溝に向かって移動可能な間隔となっている。
【００１９】
このような凸部２１及び突条部３１が多数設けられた浴室用フロア１０では、互いに隣り合う凸部２１，２１によって、直線的に延びる１筋の広幅溝４１が画成されている。交差部４３では、複数の広幅溝４１が互いに交差して縦横に延びている。
また隣り合う二つの凸部間に設けた突条部３１によって、広幅溝４１が列状に２筋の狭幅溝４２に区画され、互いに隣り合う凸部２１と突条部３１により狭幅溝４２が画成されている。ここで、突条部３１により広幅溝４１が狭幅溝４２に区画されるとは、画成された各狭幅溝４２が広幅溝４１の長手方向に中間位置で切れることなく連続することを意味する。
複数の狭幅溝４２は広幅溝４１内に設けられ、各狭幅溝４２の深さが広幅溝４１の深さより浅くなっている。
【００２０】
交差部４３には、各突条部３１の端部が臨んで配置されている。一部の突条部３１の端部は、互いに隣り合う凸部２１の角部２６のうちの突条部３１と隣接する角部２６よりも交差部４３内まで延出している。交差部４３に臨む複数の突条部３１の端部のうち、互いに対向する１組の突条部３１の端部と端部とが凸部２１の長辺２２ａの端部からさらに交差部４３内に延出しているため互いに近接している。
交差部４３に臨ませて配置された他の突条部３１の端部は、それぞれ交差部４３内まで延出している突条部３１の端部に近接配置されている。この実施形態では、交差部４３における各突条部３１の端部と端部との間の間隔及び各突条部３１の端部と角部２６の頂部との間の間隔は何れも水が移動できる程度の距離となっており、少なくとも広幅溝４１の溝幅以下で、例えば狭幅溝４２の溝幅程度となっている。
【００２１】
この浴室用フロア１０に水を流すと、まず多量の水が排水部１１へ流下する。このとき複数の凸部２１及び突条部３１上の全体を水が移動する。
その後、流れる水量が減少したときには、図６（ａ）に示すように、凸部２１間に形成された広幅溝４１内を水が移動する。各広幅溝４１の断面積が大きいため大量の水を流下させることができる。ここで、凸部２１は山なりの湾曲面を有しているので、凸部２１上から満遍なく水を周囲の溝部４０に落とすことができる。
さらに水量が減少したときには、図６（ｂ）に示すように、水は広幅溝４１内に設けられた断面積が小さい複数の狭幅溝４２内に収容されて移動する。とくに、直線状の突条部３１を凸部２１の間の溝４０内に形成したので、狭幅溝４２の断面積の変化が少ない。このため、狭幅溝４２に収容した僅かな水でも途切れずに排水部１１へ向かって移動することができる。
【００２２】
以上のような浴室用フロア１０によれば、溝部４０に配置された突条部３１の端部が、溝部４０の交差部４３に臨む位置で両側の凸部２１の周縁部より高く形成されているので、突条部３１が足裏に対して凸部２１の周縁部より引掛かり易くなっている。そのため、周縁部へ向けて下り勾配に形成された傾斜面を有する角部２６が並べられた部位において、足裏に対して滑り抵抗部として突条部３１が作用する。よって、浴室の洗い場での移動の際、使用者の滑り難さを向上することが可能である。
この浴室用フロア１０によれば、凸部２１が平面視多角形で、突条部３１の端部が隣り合う凸部２１の角部２６近傍に位置されているので、溝部４０が直線的で格子状に配列されていても、突条部２１に足裏が引掛かり易く、浴室用フロア１０の表面を滑り難くできる。
【００２３】
また突条部３１の高さが凸部２１の頂部２４以下に形成されているので、突条部３１の高さを少なく抑えて突出させることができ、浴室用フロア１０の表面における高低差を小さくして使用時の触感を向上できる。
この浴室用フロア１０によれば、複数の広幅溝４１が交差部４３で互いに交差し、交差部４３に臨む突条部３１の端部が広幅溝４１の交差部４３内まで延出しているので、突条部３１の長手方向に凸部２１から突出した部位が足裏により引掛かり易くなり、浴室用フロア１０の滑り難さを一層向上できる。
また突条部３１の端部が交差部４３内まで延出していると、狭幅溝４２内を流動する水が広幅溝４１の交差部４３内に導かれ易い。そのため他の狭幅溝４２に誘導され易く、さらに下流へ流下させることができ、少量の水であっても満遍なく狭幅溝４２内で流れることで、排水性を向上できる。
【００２４】
一方、この浴室用フロア１０では、広幅溝４１内に凸部２１の高さより低い高さで突条部３１が凸部２１の辺２２に沿って設けられているので、断面積の大きい広幅溝４１内に断面積の小さい狭幅溝４２を少なくとも２筋形成できる。そのため水量に適した経路で、浴室用フロア１０上の水を排水部１１へ移動させることができる。
【００２５】
また広幅溝４１内に凸部２１の辺２２に沿って連続して突条部３１が設けられることで、突条部３１により広幅溝４１が少なくとも２筋の狭幅溝４２に区画されているので、広幅溝４１内にこの広幅溝の断面積に比べて断面積が小さい連続した狭幅溝４２が形成される。
そのため流れる水が少ないときに、断面積が小さい狭幅溝４２内に水を収容して突条部３１に沿って導くことができ、少ない水を途切れることなく流すことができる。
さらに広幅溝４１の幅が一定のため、広幅溝４１を区画して形成される狭幅溝４２には幅が大きく変化して断面積が急激に拡大したり縮小したりする部位が生じない。そのため、狭幅溝４２を水が移動する途中で流動抵抗が変化したり、毛細管現象による作用が変化したりすることで、狭幅溝４２の途中で水の移動が停止して滞留することを防止できる。よって少量の水でも移動させることができ、浴室用フロア１０の排水性を向上することが可能である。仮に狭幅溝４２内に水が残留したとしても微量であるため、短時間で乾燥できる。
【００２６】
また、この浴室用フロア１０によれば、凸部２１の上面が周縁部に向かって下り勾配の傾斜面に形成され、突条部３１が両側の凸部２１の高さより低い高さに形成されている。そのため凸部２１間に断面積が大きい広幅溝４１と、突条部３１により広幅溝４１内に形成された２筋の並列する断面積の小さい狭幅溝４２との２種類の溝で、排水性を向上できることに加え、広幅溝４１の開口幅を大きくできて清掃性にも優れている。
即ち、広幅溝４１及び狭幅溝４２はそれぞれ直線的に形成され、突条部３１の高さが低く、凸部２１及び突条部３１が凸曲面形状であって底部２３に近接した部位が傾斜した曲面となっている。また凸部２１の上面が周縁部に向かって下り、突条部３１が両側の凸部２１の高さより低いので、溝部４０の開口幅を大きくできる。そのためスポンジやブラシ等の清掃用具を用いて浴室用フロア１０の表面を擦る際、広幅溝４１及び狭幅溝４２の底部２３に清掃用具が入り込み易く、容易に接触させて洗浄することができる。従って広幅溝４１及び狭幅溝４２を洗浄し易く、清掃性も良好である。
【００２７】
［第２実施形態］
図８は浴室用フロア１０の第２実施形態の部分拡大平面図で、図９は図８のＤ−Ｄ線に沿う同部分拡大断面図である。
第２実施形態の浴室用フロアでは、複数種類の凸部２１が互いに間隔をあけて配置されている。複数種類の凸部２１の平面視形状は、直線状の辺２２ｓと曲線状の辺２２ｃ、２２ｄとを有する異形形状となっている。
詳細には、この浴室用フロアは平面視形状が互いに異なる２種類の凸部２１ａ，２１ｂで形成され、３本の直線状の辺２２ｓと、１本の曲線状の辺２２ｃ、２２ｄとを有している。凸部２１ａの辺２２ｃは凸状に湾曲して設けられ、凸部２１ｂの辺２２ｄは凸部２１ａの辺２２ｃに対応した曲率で凹状に湾曲して設けられている。
【００２８】
凸部２１ａ，２１ｂは実質的に一定間隔をあけて複数配置されており、凸部２１ａの曲線状の辺２２ｃと凸部２１ｂの曲線状の辺２２ｄとが互いに対向し、それぞれの直線状の辺２２ｓ同士が互いに対向している。
隣り合う凸部２１ａ，２１ｂにより形成された溝部４０は、辺２２ｃと辺２２ｄとにより形成されて曲線状に延びる広幅溝４１ｒと、辺２２ｓ同士で形成されて直線状に延びる広幅溝４１ｓとを有するとともに、交差部４３を有して略格子状に形成されている。
【００２９】
曲線状に延びる広幅溝４１ｒと直線状に延びる広幅溝４１ｓには、それぞれ平面視で凸部２１ａ，２１ｂよりも幅が細い１本の突条部３１ｒ，３１ｓが形成されている。広幅溝４１ｒに形成された突条部３１ｒは両側の曲線状の辺２２ｃ、２２ｄに対応した形状を有し、広幅溝４１ｓに形成された突条部３１ｓは両側の直線状の辺２２ｓ、２２ｓに対応した形状を有している。
これらの突条部３１ｒ，３１ｓにより、広幅溝４１ｒ，４１ｓが少なくとも２列の狭幅溝４２ｒ，４２ｒ，４２ｓ，４２ｓに区画されている。突条部３１ｒは両側の曲線状の辺２２ｃ、２２ｄとほぼ同じ又はそれ以上の長さを有し、突条部３１ｓは両側の直線状の辺２２ｓ、２２ｓとほぼ同じ又はそれ以上の長さを有している。
その他の部分については、第１実施形態と同様に構成することができる。
【００３０】
このような第２実施形態の浴室用フロア１０であっても、第１実施形態と同様の作用効果を得ることができる。
例えば、突条部３１ｒ，３１ｓの端部が凸部２１ａ，２１ｂの周縁部の角部２６より高く形成されることで、足裏に引掛かり易くして使用者の滑り難さを向上することが可能であり、また交差部４３に臨む突条部３１ｒ，３１ｓの端部が交差部４３内まで延出することで、足裏により引掛かり易くなり滑り難さを一層向上することができる。
【００３１】
［第３実施形態］
図１０は浴室用フロア１０の第３実施形態の部分拡大断面図である。
第３実施形態の浴室用フロア１０では、同形状の凸部２１ｃが互いに間隔をあけて複数配置され、各凸部２１ｃは向かい合う一対の曲線状の辺２２ｅと向かい合う一対の直線状の辺２２ｓとが形成されている。曲線状の辺２２ｅは凸状の湾曲部位と凹状の湾曲部位が連続した波形形状となっており、互いに対向する凸部２１ｃの辺２２ｅの湾曲部位は互いに同じ曲率の波形形状に形成されている。
隣り合う凸部２１ｃにより形成された溝部４０は、一方の凸部２１ｃの辺２２ｅと他方の凸部２１ｃの辺２２ｅとにより形成された曲線状の広幅溝４１ｒと、一方の凸部２１ｃの辺２２ｓと他方の凸部２１ｃの辺２２ｓとにより形成された直線状の広幅溝４１ｓとを有するとともに、交差部４３を有して略格子状に形成されている。
【００３２】
曲線状に延びる広幅溝４１ｒと直線状に延びる広幅溝４１ｓには、それぞれ平面視で凸部２１ｃよりも幅が細い１本の突条部３１ｒ，３１ｓが形成されている。広幅溝４１ｒに形成された突条部３１ｒは両側の曲線状の辺２２ｅ，２２ｅに対応した形状を有し、広幅溝４１ｓに形成された突条部３１ｓは両側の直線状の辺２２ｓ、２２ｓに対応した形状を有している。
これらの突条部３１ｒ，３１ｓにより、広幅溝４１ｒ，４１ｓが少なくとも２列の狭幅溝４２ｒ，４２ｓに区画されている。突条部３１ｒは両側の曲線状の辺２２ｅ，２２ｅとほぼ同じ又はそれ以上の長さを有し、突条部３１ｓは両側の直線状の辺２２ｓ，２２ｓとほぼ同じ又はそれ以上の長さを有している。
【００３３】
その他の部分については第２実施形態と同様に構成することができる。
このような第３実施形態の浴室用フロア１０であっても、第２実施形態と同様の作用効果が得られる。例えば、突条部３１ｒ，３１ｓの端部が凸部２１ｃの周縁部の角部２６より高く形成されることで、足裏に引掛かり易くして使用者の滑り難さを向上することが可能であり、また交差部４３に臨む突条部３１ｒ，３１ｓの端部が交差部４３内まで延出することで、足裏により引掛かり易くなり滑り難さを一層向上することができる。
【００３４】
［第４実施形態］
図１１は浴室用フロア１０の第４実施形態の部分拡大断面図である。
第４実施形態の浴室用フロア１０では、同形状の凸部２１ｄが互いに間隔をあけて複数配置されており、各凸部２１ｄが４本の直線状の辺２２ｓを有する略菱形形状を有している。複数の凸部２１ｄは、隣り合う凸部２１ｄの角部２６同士を対向させて配置されている。
複数の凸部２１ｄが間隔をあけて配置されることで形成された溝部４０は、一方の凸部２１ｄにおける角部２６を介して隣接した複数の辺２２ｓと、他方の凸部２１ｄにおける角部２６を介して隣接した複数の辺２２ｓと、で形成されており、交差部４３と、この交差部４３間で溝幅が変化する広幅溝４１ｃと、を有している。
【００３５】
各広幅溝４１ｃには、それぞれ平面視で凸部２１ｄよりも幅が細い１本の突条部３１ｓが形成されている。各広幅溝４１ｃに形成された突条部３１ｓは実質的に一定幅で直線状に形成されている。この突条部３１ｓにより、広幅溝４１ｃが少なくとも２列の狭幅溝４２ｃ，４２ｃに区画されている。
【００３６】
その他の部分については第１実施形態と同様に構成することができる。
このような第４実施形態の浴室用フロア１０であっても、第１実施形態と同様の作用効果を得ることができる。例えば、突条部３１ｓの端部が凸部２１ｄの周縁部より高く形成されることで、足裏に引掛かり易くして使用者の滑り難さを向上することが可能であり、また突条部３１ｓの端部が交差部４３にも配置されることで、足裏により引掛かり易くなり滑り難さを一層向上することができる。
【００３７】
なお上記各実施形態は、本発明の範囲内で適宜変更可能である。
上記では複数の凸部２１が縦横に整列して配置した例について説明したが、突条部３１，１３１を介して隣り合う凸部２１同士が縦方向又は横方向にずれていてもよく、また、斜め方向或いはランダムな配置であっても本発明の範囲に含まれる。
上記では、突条部３１が対向する凸部２１の辺２２間となる広幅溝４１内に両辺２２に沿って連続して１本設けられた例を説明したが、特に限定されるものではなく、広幅溝４１に複数の突条部３１が設けられていてもよく、凸部２１の両端側の角部２６に対応する部位に別々に突条部３１が設けられていてもよい。
上記では浴室用フロア１０全体に同一形状の凸部２１を設けたが、例えば浴室用フロア１０の一部に上述のような複数の凸部２１と、凸部間に配置された突条部３１，１３１と、を設けたものであっても本発明を同様に適用できる。
上記各実施形態では平面視矩形の凸部２１を用いた例を説明したが、凸部２１の平面視形状は、多角形の場合、三角形や五角形以上であってもよい。また多角形でなく、一部又は全ての辺が湾曲していても屈曲していてもよく、例えば各凸部２１の辺の一部乃至全部がジグザク形状であってもよい。
その場合でも、突条部３１，３１ａ，３１ｂ，３１ｒ，３１ｓ，１３１を介して隣り合う凸部２１，２１ａ，２１ｂ，２１ｃ、２１ｄの辺２２と辺２２同士を対向させ、間に突条部３１，１３１，３１ａ，３１ｂを設ければ本発明を適用することは可能である。
また、凸部２１間のすべてに突条部３１を形成しなくてもよい。例えば、突条部３１が形成されていない溝４０を意図的に設けることで、フロア１０の排水時間を制御したり、フロア１０に意匠を付与したりしてもよい。
また、突条部３１は凸部２１の辺に平行に配置されることが好ましいが、水の表面張力を利用した排水が可能な範囲で、突条部３１を凸部２１の辺と平行でないように設けてもよい。
また、全ての突条部の端部が凸部の傾斜面よりも上方に突出していることが好ましいが、一部の突条部は、突出していなくてもよい。
【符号の説明】
【００３８】
１０  浴室用フロア
１１  排水部
１２  浴槽
２１，２１ａ，２１ｂ，２１ｃ、２１ｄ  凸部
２２  辺
２２ａ  長辺
２２ｂ  短辺
２２ｃ，２２ｄ、２２ｅ  曲線状の辺
２２ｓ  直線状の辺
２３  底部
２４  中央部
２６  角部
３１，３１ａ，３１ｂ，１３１  突条部
３１ｒ  曲線状の突条部
３１ｓ  直線状の突条部
３２  側辺
３４  頂部
４０  溝部
４１，１４１，４１ｃ  広幅溝
４１ｒ  曲線状の広幅溝
４１ｓ  直線状の広幅溝
４２，１４２，４２ｃ  狭幅溝
４２ｒ  曲線状の狭幅溝
４２ｓ  直線状の狭幅溝
４３  交差部
【図１】
2017071984.tif 000003
【図３】
2017071984.tif 000004
【図４】
2017071984.tif 000005
【図５】
2017071984.tif 000006
【図６】
2017071984.tif 000007
【図７】
2017071984.tif 000008
【図８】
2017071984.tif 000009
【図９】
2017071984.tif 000010
【図１０】
2017071984.tif 000011
【図１１】
2017071984.tif 000012
【図２】
2017071984.tif 000013